(57)【特許請求の範囲】
【請求項１】
カメラ用回路基板に、固体撮像素子が搭載されており、
前記固体撮像素子の撮像面に被写体像を撮像可能な位置に、レンズを保持するレンズユニットが設けられており、
前記レンズユニットは、前記レンズを保持する第１レンズホルダが前記カメラ用回路基板に取り付けられる第２レンズホルダに係合しており、
前記第１レンズホルダと前記第２レンズホルダとは、一方に設けられた突起部を他方に設けられた凹部に嵌合することにより係合され、
前記突起部または前記凹部のいずれか一方は、前記第１レンズホルダと前記第２レンズホルダとの係合部が前記撮像面に向かって進退可能となるように複数設けられ、
前記突起部と前記凹部との嵌合位置を選択することにより、前記レンズと前記撮像面との間の距離を変更可能である
ことを特徴とする固体撮像装置。
【請求項２】
請求項１において、前記突起部は、同一高さの複数個を１組として構成してあり、前記凹部は、前記複数個の突起部が嵌合可能な同一深さの複数個を１組として構成してあることを特徴とする固体撮像装置。
【請求項３】
請求項１または２において、前記凹部として、深さの異なる複数の凹部が設けてあり、前記突起部は前記凹部のいずれか１つに選択的に嵌合するものであることを特徴とする固体撮像装置。
【請求項４】
請求項１または２において、前記突起部として、高さの異なる複数の突起部が設けてあり、前記凹部は前記突起部のいずれか１つに選択的に嵌合するものであることを特徴とする固体撮像装置。
【発明の詳細な説明】
【０００１】
【発明の属する技術分野】
本発明は、固体撮像素子を用いて撮像する固体撮像装置に関する。
【０００２】
【従来の技術】
従来のこの種装置では、カメラ用回路基板の表面に固体撮像素子を配置し、固体撮像素子の信号伝送用回路パターンをカメラ用回路基板の表面または表裏両面に設け、駆動回路等の回路素子を回路パターンに接続して配置する。カメラ用回路基板の表面側には、固体撮像素子の撮像面上に撮像可能な位置に、レンズユニットが固定してある。レンズユニットには、レンズを保持する第１レンズホルダと、この第１レンズホルダに螺合し、カメラ用回路基板に取り付けられる第２レンズホルダとが備わっている。第１レンズホルダを螺合部で回転させて撮像面に向かって進退させて、レンズと撮像面との距離を調整することによりピントの合わせ込みを行うようにしている。
【０００３】
【発明が解決しようとする課題】
このように、ピントの合わせ込みを行うために第１レンズホルダと第２レンズホルダを螺合させる従来の構成では、第１レンズホルダと第２レンズホルダとをプラスチックで成形する際に、雄ねじと雌ねじとを形成しなければならず、成形型の構成が複雑になり、成形作業が煩雑となるという問題点があった。更に、レンズが撮像面に対して傾き、高精度なピントの合わせ込みができないという問題点もあった。
【０００４】
そこで本発明は、レンズを撮像面に対して傾きなく進退させて高精度なピントの合わせ込みが可能な固体撮像装置を、螺合による連結によることなく低コストで提供するものである。
【０００５】
【課題を解決するための手段】
本発明の固体撮像装置は、カメラ用回路基板に、固体撮像素子が搭載されており、前記固体撮像素子の撮像面に被写体像を撮像可能な位置に、レンズを保持するレンズユニットが設けられている。前記レンズユニットは、前記レンズを保持する第１レンズホルダが前記カメラ用回路基板に取り付けられる第２レンズホルダに係合しており、前記第１レンズホルダと前記第２レンズホルダとは、一方に設けられた突起部を他方に設けられた凹部に嵌合することにより係合され、前記突起部または前記凹部のいずれか一方は、前記第１レンズホルダと前記第２レンズホルダとの係合部が前記撮像面に向かって進退可能となるように複数設けられ、前記突起部と前記凹部との嵌合位置を選択することにより、前記レンズと前記撮像面との間の距離を変更可能であることを特徴としている。このように、螺合によらないで突起部と凹部とを嵌合させて、第１レンズホルダと第２レンズホルダとを係合させる構成としているので、金型の構成が簡単になりレンズユニットの製造が複雑化することがなく、製造コストを低減できる。
【０００６】
前記突起部は、同一高さの複数個を１組として構成してあり、前記凹部は、前記複数個の突起部が嵌合可能な同一深さの複数個を１組として構成してあることが好ましい。この構成により、第１レンズホルダと第２レンズホルダが複数箇所で当接するので、レンズの姿勢が安定し、傾斜が生じることがない。
【０００７】
前記凹部として、深さの異なる複数の凹部が設けてあり、前記突起部は前記凹部のいずれか１つに選択的に嵌合するものであることが好ましい。また、前記突起部として、高さの異なる複数の突起部が設けてあり、前記凹部は前記突起部のいずれか１つに選択的に嵌合するものであることが好ましい。
【０００８】
【発明の実施の形態】
本発明の実施の一形態について、図面を参照して説明する。
【０００９】
図１及び図２に示すように、カメラ用回路基板１の表面側には、固体撮像素子２が搭載してあり、固体撮像素子２の撮像面２ａ上に被写体像を撮像可能な位置に、レンズユニット３が固定してある。レンズユニット３は、第１レンズホルダ３１と第２レンズホルダ３２とが係合され、第２レンズホルダ３２の端面をカメラ用回路基板１の表面に接着したものである。第１レンズホルダ３１内にはレンズ４が保持してあり、また、第２レンズホルダ３２内にフィルタ５が取り付けられている。
【００１０】
第１レンズホルダ３１は、円筒部３１ａとその前端につば部３１ｂとを有するもので、この円筒部３１ａ内にレンズ４が脱出不能に保持されている。第２レンズホルダ３２は、円筒部３２ａと図２に示すように角筒部３２ｂとを有するもので、この角筒部３２ｂ内にフィルタ５が脱出不能に取り付けられている。円筒部３１ａは円筒部３２ａ内に軸方向、すなわちレンズ４の光軸方向に摺動可能に係合している。
【００１１】
次に、第１レンズホルダ３１を、レンズ４が撮像面２ａに向かって進退可能となるように、第２レンズホルダ３２に係合する構成について説明する。
【００１２】
図１及び図３に示すように、第１レンズホルダ３１のリング状を為すつば部３１ｂの裏面には、レンズ４の光軸方向に同一高さであり、円筒部３１ａの周方向に等間隔に設けられた３個の突起部３１ｃを１組として形成してある。また、図１及び図４〜図６に示すように、第２レンズホルダ３２の円筒部３２ａのリング状を為す表面には、レンズ４の光軸方向に同一深さであり、円筒部３２ａの周方向に等間隔に設けられた３箇の凹部を１組として、深さの異なる３組の凹部３２ｃ，３２ｄ，３２ｅが形成してある。即ち、深さの最も浅い凹部３２ｃが等間隔に３箇所に形成してあり、中間の深さの凹部３２ｄが等間隔に３箇所に形成してあり、最も深い凹部３２ｅが等間隔に３箇所に形成してある。突起部３１ｃは３組の凹部のうちの任意の１組に選択的に嵌合可能である。
【００１３】
そこで、突起部３１ｃを凹部３２ｃに嵌合するときは、凹部３２ｃの深さが浅いので、レンズ４と撮像面２ａとの距離は遠くなる。また、突起部３１ｃを凹部３２ｄに嵌合するときは、凹部３２ｄの深さが凹部３２ｃよりも深いので、レンズ４と撮像面２ａとの距離は近くなる。また、突起部３１ｃを凹部３２ｅに嵌合するときは、凹部３２ｅの深さが最も深いので、レンズ４と撮像面２ａとの距離は最も接近する。このように、突起部３１ｃと凹部３２ｃ〜３２ｅとの嵌合位置を選択することにより、レンズ４と撮像面２ａとの距離を調整でき、ピントの合せ込みが可能となり、レンズ４及びフィルタ５を通過した入射光により固体撮像素子２の撮像面２ａ上に被写体像を撮像可能である。
【００１４】
このように、突起部３１ｃと凹部３２ｃ〜３２ｅとを嵌合させることにより、第１レンズホルダ３１と第２レンズホルダ３２とを係合させるので、各々を螺合によって係合させる場合よりも、金型の構成が複雑化することなく、レンズユニット３の製造が複雑化することがない。また、製造コストを増加させることなく、レンズ４を撮像面２ａに対して平行にでき、ピントの合わせ込みを高精度に行うことが可能となる。
【００１５】
前記実施例においては、凹部として深さの異なる３組の凹部がそれぞれ分離して設けられているが、これに限られるものでなく、深さの異なる更に多くの組の凹部を設ければ、ピントの合わせ込みを更に微細に行うことができる。また、各凹部は分離して設けるものでなく、階段状に連続して設けても良く、一層微細なピントの合わせ込みが可能になる。また、凹部を同一深さの１組とし、突起部として高さの異なる複数組を設けてもよい。また、突起部と凹部はそれぞれ嵌合可能に設けられていればよく、１組の数については３個に限られるものではない。
【００１６】
【発明の効果】
本発明は、第１レンズホルダと第２レンズホルダとを、一方に設けられた突起部を他方に設けられた凹部に嵌合することにより係合されており、突起部と凹部との嵌合位置を選択することにより、レンズと撮像面との間の距離を変更するように構成しているので、レンズが撮像面に対して傾きなく進退して高精度なピントの合わせ込みが可能である。螺合によらないので、雄ねじと雌ねじを形成する必要が無く製造を容易にでき、製造コストを低減させることができる。
【図面の簡単な説明】
【図１】本発明の実施の一形態を示す断面図である。
【図２】同上、平面図である。
【図３】同上、第１レンズホルダの裏面図である。
【図４】同上、第１レンズホルダを取り外した状態の平面図である。
【図５】図４の斜視図である。
【図６】凹部の深さを説明する展開図である。
【符号の説明】
１                      カメラ用回路基板
２                      固体撮像素子
２ａ                    撮像面
３                      レンズユニット
３１                    第１レンズホルダ
３１ｃ                  突起部
３２                    第２レンズホルダ
３２ｃ，３２ｄ，３２ｅ  凹部
４                      レンズ
【図１】
0003806049.tif 000002
【図２】
0003806049.tif 000003
【図３】
0003806049.tif 000004
【図４】
0003806049.tif 000005
【図５】
0003806049.tif 000006
【図６】
0003806049.tif 000007